(57)【要約】【課題】    メッシュパネルから成るフェンス体の上端に、メッシュパネルから成る忍返体を安定して強固に取付けると共に、その取付作業を簡単にすることのできる忍返体を提供する。【解決手段】    縦線材２Ａと横線材２Ｂを格子状に配設してメッシュパネル２Ｃを形成し、該メッシュパネル２Ｃの上端に胴縁部２Ｄを形成してフェンス体２を構成し、該フェンス体２に取付けられる忍返体１であって、忍返体１は縦線材１Ａと横線材１Ｂを格子状に配設したメッシュパネル１Ｃによって形成し、上部に縦線材１Ａを途中箇所において切断した忍返部１Ｅと、下部にフェンス体２に定着する取付部１Ｄとを有し、取付部１Ｄの取付面１１Ｄをフェンス体２の胴縁部２Ｄの外側面形状に沿わせる。【選択図】        図１
2007100453.tif 000002
【特許請求の範囲】
【請求項１】
縦線材と横線材を格子状に配設してメッシュパネルを形成し、該メッシュパネルの上端に胴縁部を形成してフェンス体を構成し、該フェンス体に取付けられる忍返体であって、忍返体は縦線材と横線材を格子状に配設したメッシュパネルによって形成し、上部に縦線材を途中箇所において切断した忍返部と、下部にフェンス体に定着する取付部とを有し、取付部の取付面をフェンス体の胴縁部の外側面形状に沿った形状としたことを特徴とする忍返体。
【請求項２】
取付部にフェンス体の胴縁部に配置した横線材と係合するフック部を形成したことを特徴とする請求項１に記載の忍返体。
【発明の詳細な説明】
【技術分野】
【０００１】
この発明は、縦線材と横線材を格子状に配設したメッシュパネルから成るフェンス体に取付けられる忍返体に関するものであり、より詳しくはフェンス体に安定して強固に取付けることのできる忍返体に関するものである。
【背景技術】
【０００２】
従来、侵入者によるフェンス、塀等の乗り越えを防止するために、フェンス、塀等の上端部に忍返体を設けたものが提案されている。
特許文献１、２には、縦線材と横線材を格子状に配設した所謂メッシュパネルからなるフェンス体の上端に忍返体を設けたフェンスが開示されている。特許文献１、２に示される忍返体は、フェンス体を支持する支柱に沿って取付けられたものであり、忍返体の両側は前記支柱に安定して支持されるものである。
【０００３】
しかしながら、特許文献１、２に示された忍返体の取付構造は、支柱によって忍返体が支持されており、予め忍返体を取付けることを予定している支柱にしか取付けることができないものであった。言い換えれば忍返体の取付部を有する支柱にしか設けることができないものであった。通常、支柱はフェンスを施工する際に立設するものなので、将来忍返体を取付けることを予定した上で支柱を立設しなければならず、特許文献１，２に示される忍返体は、既設のフェンスに取付けることを想定していないものである。
【０００４】
そこで、既設のフェンスに忍返体を取付けたい場合、特許文献３に示されるように、既設の支柱の上端に忍返体取付部を有する第２の支柱を継足すことを余儀なくされ、忍返体の取付作業が甚だ面倒なものであった。
また、第２の支柱を設けなければ、忍返体を安定して強固に取付けることのできないものであった。
さらに、上記特許文献１乃至３の従来技術においては、忍返体を支持する支柱が忍返体の上端まで伸びているので、この支柱を手がかりとしてフェンスを乗り越えることもでき、防犯上の対策を要するものであった。
【０００５】
【特許文献１】実開昭５７−５４５６８号公報
【特許文献２】特開２００４−１０７９３５号公報
【特許文献３】特開２００３−３０１６２９号公報
【発明の開示】
【発明が解決しようとする課題】
【０００６】
本発明の目的は、メッシュパネルから成るフェンス体の上端に、メッシュパネルから成る忍返体を安定して強固に取付けると共に、その取付作業を簡単にすることのできる忍返体を提供することにある。
【課題を解決するための手段】
【０００７】
本発明者等は、このような事情に鑑み鋭意検討を重ねた結果、縦線材と横線材を格子状に配設してメッシュパネルを形成し、該メッシュパネルの上端に胴縁部を形成してフェンス体を構成し、該フェンス体に取付けられる忍返体であって、忍返体は縦線材と横線材を格子状に配設したメッシュパネルによって形成し、上部に縦線材を途中箇所において切断した忍返部と、下部にフェンス体に定着する取付部とを有し、取付部の取付面をフェンス体の胴縁部の外側面形状に沿った形状としたことによって、所期の目的を達成したものである。
【０００８】
請求項２の発明に係る忍返体は、請求項１に記載の忍返体において、取付部にフェンス体の胴縁部に配置した横線材と係合するフック部を形成したものである。
【発明の効果】
【０００９】
本発明の忍返体によれば、忍返体の下部に形成した取付部の取付面を、フェンス体の上端に形成した胴縁部の外側面形状に沿わせたので、取付部の取付面が胴縁部の外側面に沿って当接し、忍返体を安定的且つ強固にフェンス体に取付けることができ、その取付作業も胴縁部に固定するだけなので、簡単に行なうことができる。
【００１０】
また、請求項２に記載の忍返体によれば、取付部にフェンス体の胴縁部に配置した横線材と係合するフック部を形成したので、フック部を横線材に係合することによって、忍返体とフェンス体の連結強度を高めることができ、フック部を横線材に係合した状態においては、忍返体を仮止め状態とすることができ、忍返体の取付作業を簡単に行なうことができる。
【発明を実施するための最良の形態】
【００１１】
以下、本発明を実施するための最良の形態を実施例に基づき説明する。
図１乃至図５は本発明忍返体の第一実施例であり、図中１は忍返体を表わし、忍返体１は、縦線材１Ａと横線材１Ｂを格子状に配設したメッシュパネル１Ｃによって形成されている。忍返体１は下部にメッシュパネル１Ｃを折り曲げ形成した取付部１Ｄが形成され、上部に縦線材１Ａを途中箇所において切断した忍返部１Ｅが形成されている。
【００１２】
忍返体１が取付けられるフェンス体２は、縦線材２Ａと横線材２Ｂを格子状に配設したメッシュパネル２Ｃによって形成されている。フェンス体２は、上端にメッシュパネル２Ｃを折り曲げ形成した胴縁部２Ｄが形成されている。胴縁部２Ｄは図３に示したとおり、側面視略円形状を呈しており、縦線材２Ａの内側には複数の横線材２Ｂが平行に配設されている。
フェンス体２の設置場所には、適当な間隔を置いて支柱３が立設されており、フェンス体２が支柱３によって支持されている。支柱３は隣接するフェンス体２の端部間に位置しており、平面視においてフェンス体２と支柱３が同一線上に位置している。
【００１３】
忍返体１は、フェンス体２の上端に定着されている。忍返体１の取付部１Ｄにおける取付面１１Ｄは、フェンス体２の胴縁部２Ｄの外側面形状に沿った形状を呈しており、忍返体１の取付面１１Ｄがフェンス体２の胴縁部２Ｄの外側面に密着し、安定して取付けられる。
忍返体１をフェンス体２に載置した後、忍返体１の取付部１Ｄにおける横線材１Ｂと、忍返体１が取付けられるフェンス体２の胴縁部２Ｄに配置される横線材２Ｂを挟持する取付金具４によって、忍返体１が取付けられる。
【００１４】
取付金具４は一対の取付板４１と螺子部材４２によって構成されている。取付板４１は両側に横線材１Ｂ，２Ｂと抱持する抱持部４１１が形成され、中央部には螺子部材４２を挿通する螺子孔４１２が形成されている。なお、螺子孔４１２は螺子部材４２と螺合する螺子溝を形成しても良く、または単に螺子部材４２が挿通する透孔であっても構わない。螺子溝を形成しない透孔とした場合には螺子部材４２と螺合するナットを用いて抜け止めを行なう。
【００１５】
なお、図３において忍返体１の右側が敷地外側であり、敷地外側からの侵入者が容易に螺子部材４２を緩めて取付金具４を外せないようになっている。
フェンス体２の上端よりも、支柱３の上端が上方に突出し、支柱３が邪魔となって忍返体１を支柱３の上方に配置できない場合、支柱３が位置する忍返体１の下部を切除するなどして、支柱３を避けて配置することができる。
【００１６】
図５は本発明忍返体の変形例を表わすものであり、フェンス体２の種々の胴縁部形状に合わせて、忍返体１の取付部の形状を変化させている。このように忍返体１の取付部における取付面の形状を胴縁部２Ｄの外側面形状に合わせることにより、忍返体１をフェンス体２に安定して取付けることができ、取付金具３を用いて強固に固定することができる。
なお、図５（Ａ）〜（Ｄ）の各変形例において、右側が敷地外側であり、外部から簡単に忍返体１の取付金具４が外せないようになっている。また、支柱３の上にも忍返体が配置されているので、支柱３を手がかりとしてフェンス体２を乗り越えることが困難となり、防犯効果に優れている。
【００１７】
図６は本発明忍返体の第二実施例を表わすものであり、第一実施例と同じ部分については同一符号を用い、その説明を省略する。前記第一実施例と異なる点は、忍返体１の取付部１Ｄにフェンス体２の胴縁部２Ｄに配置された横線材２Ｂと係合するフック部１Ｆを形成した点である。フック部１Ｆは、忍返体１の縦線材１Ａの先端を折曲げて形成している。このようにフェンス体２の横線材２Ｂと係合するフック部１Ｆを形成することにより、取付金具４によって忍返体１を定着する際に、忍返体１をフェンス体２に仮止めすることができ、取付作業を円滑に行なうことができる。また忍返体１をフェンス体２に取付けた後においても、フック部１Ｆが横線材１Ｂと係合しているので、その取付強度を高めることができる。
【００１８】
上記実施例において、忍返体１の取付面１１Ｄは胴縁部２Ｄの一側面に沿った形状としたが、忍返部１の下端より、取付部１Ｄを二股状に分岐して胴縁部２Ｄを跨ぐ形状としても構わない。取付金具４は、取付板４１と螺子部材４２によって構成したが、忍返体１とフェンス体２の横線材１Ｂ，２Ｂを、リング状クリップによって緊止しても構わない。
【図面の簡単な説明】
【００１９】
【図１】本発明忍返体をフェンス体に取付けた状態を表わす正面図
【図２】図１の側面図
【図３】図２の要部拡大図
【図４】取付金具における取付板の（Ａ）平面図と（Ｂ）側面図
【図５】本発明忍返体の変形例を表わす側面図
【図６】本発明忍返体の第二実施例を表わす要部拡大図
【符号の説明】
【００２０】
１      忍返体
１Ａ      縦線材（忍返体）
１Ｂ      横線材（忍返体）
１Ｃ      メッシュパネル（忍返体）
１Ｄ      取付部
１Ｅ      忍返部
１Ｆ      フック部
１１Ｄ      取付面
２      フェンス体
２Ａ      縦線材（フェンス体）
２Ｂ      横線材（フェンス体）
２Ｃ      メッシュパネル（フェンス体）
２Ｄ      胴縁部（フェンス体）
３      支柱
４      取付金具
【図１】
2007100453.tif 000003
【図２】
2007100453.tif 000004
【図３】
2007100453.tif 000005
【図４】
2007100453.tif 000006
【図５】
2007100453.tif 000007
【図６】
2007100453.tif 000008